(57)【要約】【課題】揺動天秤機構の調整操作を行うと、天秤曲線の位相がずれるだけで、ストロークが変化することがない、飾り縫いミシンを提供することを目的とする。【解決手段】上軸に連動して上下動する針（２０）と、前記針に連動して縫製物裏面側で縫製方向と直交する方向に揺動するルーパと、糸巻きから前記針に至る糸経路上に配置され、上軸に連動して揺動するとともに、針糸に係合してその糸取り量を制御する揺動天秤（１８）と、により飾り縫いを行う飾り縫いミシンにおいて、前記上軸の軸線を中心に回動可能に支持される偏心カム（２３、３１ｂ、５２ｂ、６２）と、前記偏心カムを上軸の所定回転角度位置に固定する固定部材（２２、３２、５０、６８）と、前記偏心カムと前記揺動天秤とを連結する連結部材（２４）と、を備え、前記上軸の回転運動を前記揺動天秤の揺動運動に変換する構成とした。【選択図】図２
2004141440.tif 000002
【特許請求の範囲】
【請求項１】
上軸に連動して上下動する針と、
前記針に連動して縫製物裏面側で縫製方向と直交する方向に揺動するルーパと、
糸巻きから前記針に至る糸経路上に配置され、前記上軸に連動して揺動するとともに、針糸に係合してその糸取り量を制御する揺動天秤と、により飾り縫いを行う飾り縫いミシンにおいて、
前記上軸の軸線を中心に回動可能に支持される偏心カムと、
前記偏心カムを上軸の所定回転角度位置に固定する固定部材と、
前記偏心カムと前記揺動天秤とを連結する連結部材と、を備え、
前記上軸の回転運動を前記揺動天秤の揺動運動に変換することを特徴とする飾り縫いミシン。
【請求項２】
請求項１記載の飾り縫いミシンにおいて、
前記固定部材は、前記上軸に支持され一体的に回転する第１ギアと、前記第１ギアに噛合可能であると共に前記偏心カムに装備された第２ギアと、前記第１ギアと前記第２ギアの一方を付勢して連結状態を保持する弾性部材と、からなることを特徴とする飾り縫いミシン。
【請求項３】
請求項２記載の飾り縫いミシンにおいて、
前記第１ギアと前記第２ギアの一方には、調節目盛りが付されていることを特徴とする飾り縫いミシン。
【請求項４】
請求項２記載の飾り縫いミシンにおいて、
前記第１ギアと第２ギアの一方はラチェットギアであると共に、前記ラチェットギアは前記偏心カムまたは前記上軸に形成された溝部に摺動自在に支持されていることを特徴とする飾り縫いミシン。
【請求項５】
請求項４記載の飾り縫いミシンにおいて、
機枠に支持されるとともに、操作により前後進する操作部材を備え、
前記操作部材の前進時、前記ラチェットギアに係合し、ギアの噛み合いを非連結状態にすることを特徴とする飾り縫いミシン。
【発明の詳細な説明】
【０００１】
【発明の属する技術分野】
この発明は、飾り縫いミシンに関し、特に、糸取り量を制御する揺動天秤の駆動機構に関するものである。
【０００２】
【従来の技術】
図７の従来の飾り縫いミシンの揺動天秤機構１は、上軸２の偏心部２ａに連結される、連結ロッド３、駆動腕４、揺動天秤軸５、揺動天秤腕６、揺動天秤７から構成される。
【０００３】
上軸２は、ミシンアーム内部に配置され、機枠に固定されたメタル軸受けにより回動可能に支持されている。この上軸２は、一端側からミシンモータの動力が伝達され、他端側に針棒駆動機構が連結されるとともに、その中央部にその軸心より偏心した偏心部２ａが形成されている。この偏心部２ａは、その両端にツバ状の支持部２ａｂ、２ａｂを有し、上軸２に一体的に形成されている。
【０００４】
連結ロッド３は、上下方向に連結部３ａ、３ｂを有している。この上側連結部３ａは、上軸偏心部２ａに回動可能に連結されている。下側連結部３ｂには、駆動腕４の球形部４ａが回動可能に連結されている。また、駆動腕４の他端側の筒状本体部４ｂは、その内径部に揺動天秤軸５が通された後、ネジ８により固定される。揺動天秤軸５は、上軸２に交差するように配置され、機枠に固定されたメタル軸受けにより回動可能に支持されている。揺動天秤軸５の一端側には、揺動天秤腕６が固定されている。この揺動天秤腕６に形成された装着溝６ａには、揺動天秤７が摺動自在に支持される。揺動天秤７は所定位置でネジに９より揺動天秤腕６固定される。揺動天秤７の先端側折曲部には、糸が通される糸孔７ａ形成されている。この糸孔７ａには、糸巻きから針に至る針糸が通されている。
【０００５】
上軸２が回転すると、連結ロッド３が上下動する。連結ロッド３の上下動に伴い、駆動腕４を介して揺動天秤軸５が回動する。そして、揺動天秤腕６と揺動天秤７が揺動する。揺動天秤７の揺動により、糸の供給量や糸の引き上げ量を意味する、針糸の糸取り量が制御される。
【特許文献１】
特開平１３−２９３２７３号公報（第３図）
【０００６】
【発明が解決しようとする課題】
従来の揺動天秤機構１では、希望の縫目を形成しようとする場合、駆動腕４と揺動天秤軸５の固定位置を変える操作を行う。この調整操作はネジ８を緩めた後、駆動腕４を前後方向（図示ｈ方向）に移動させて所定位置で固定する。しかしながら、この調整操作では、図８に示す上軸回転角に対する天秤変位軌跡を示す天秤曲線から明らかなように、基準位置に対して駆動腕４を前後動した変更位置±αでは、位相がずれるだけでなく、ストロークも変化するため、天秤曲線がくずれてしまっていた。このため、調整作業は位相のずれとストロークの変化の両者を考慮する必要があり、調整作業を難しくしていた。
【０００７】
この発明は、上記問題点を解決するためになされたものであって、揺動天秤機構の調整操作を行うと、天秤曲線の位相がずれるだけで、ストロークが変化することがない、飾り縫いミシンを提供することを目的とする。
【０００８】
【課題を解決するための手段】
上記課題を解決するために、請求項１記載の発明は、
上軸に連動して上下動する針（２０）と、
前記針に連動して縫製物裏面側で縫製方向と直交する方向に揺動するルーパと、
糸巻きから前記針に至る糸経路上に配置され、上軸に連動して揺動するとともに、針糸に係合してその糸取り量を制御する揺動天秤（１８）と、により飾り縫いを行う飾り縫いミシンにおいて、
前記上軸の軸線を中心に回動可能に支持される偏心カム（２３、３１ｂ、５２ｃ、６２）と、
前記偏心カムを上軸の所定回転角度位置に固定する固定部材（２２、３２、５０、６８）と、
前記偏心カムと前記揺動天秤とを連結する連結部材（２４）と、を備え、
前記上軸の回転運動を前記揺動天秤の揺動運動に変換する構成とした。
【０００９】
請求項２記載の発明は、請求項１記載の飾り縫いミシンにおいて、
前記固定部材は、前記上軸に支持され一体的に回転する第１ギア（３６、３４、６７）と、
前記第１ギアに噛合可能であると共に前記偏心カムに装備された第２ギア（３４、５２ｂ、６３）と、前記第１ギアと前記第２ギアの一方を付勢して連結状態を保持する弾性部材（３５、３５、６５）と、からなる構成とした。
【００１０】
請求項１、２記載の発明は、上軸に対する偏心カムの固定位置を変更することにより、天秤曲線の位相がずれるだけで、ストロークが変化することがない。このため、調整作業が容易になり、縫い品質が向上する。
【００１１】
請求項３記載の発明は、請求項２記載の飾り縫いミシンにおいて、
前記第１ギアと前記第２ギアの一方には、調節目盛り（６７）が付されている構成とした。
【００１２】
請求項３記載の発明によれば、調節目盛りを見ながら調整作業を行うので、調整作業がより容易になる。
【００１３】
請求項４記載の発明は、請求項２記載の飾り縫いミシンにおいて、
前記第１ギアと第２ギアの一方はラチェットギア（３４）であると共に、前記ラチェットギアは前記偏心カムまたは前記上軸に形成された溝部（３１ｃ、５１ｂ）に摺動自在に支持されている構成とした。
【００１４】
請求項４記載の発明によれば、溝部に摺動自在に支持されたラチェットギアを、付勢力に抗して移動させ、ギア同士の噛み合いを解除する非連結状態に容易にすることができる。
【００１５】
請求項５記載の発明は、請求項４記載の飾り縫いミシンにおいて、
機枠に支持されるとともに、操作により前後進する操作部材（３３）を備え、
前記操作部材の前進時、前記ラチェットギアに係合し、ギアの噛み合いを非連結状態にする構成とした。
【００１６】
請求項５記載の発明によれば、操作部材の操作により調整作業を行うことができるので、より作業性が向上する。
【００１７】
【発明の実施の形態】
この発明の第１実施形態を図１〜図３に基づいて説明する。
飾り縫いミシン１０の機枠は、ミシンベッド部１１と、その上部に配置されたミシンアーム部１２等から構成されている。
ミシンアーム部１２には、上軸に連動して上下動する針２０が配置されている。また、ミシンベッド部１１には、針２０に連動して縫製物裏面側で縫製方向と直交する方向に揺動する、図示省略のルーパが配置されている。
【００１８】
ミシンアーム部１２の右側上方には、図示省略の糸立て台に複数の糸巻き１３が配置されている。この糸巻き１３から引き出された針糸１４は、ミシンアーム部１２の作業者対向面に沿って設けられた、糸調子１５、潤滑油塗布装置１６、糸案内１７、揺動天秤１８、針棒天秤１９を経て、対応する針２０に通される。
【００１９】
糸調子１５は糸張力を可変設定し、潤滑油塗布装置１６は潤滑油を塗布するものであり、糸案内１７は糸経路長を変更して糸取り量を調整するものである。また、揺動天秤１８は先端部に針糸が通されその揺動により、針糸の糸取り量を制御するものである。また、針棒天秤１９は、針棒の上端部に固定され上下方向に往復動する。
【００２０】
揺動天秤１８を揺動させる揺動天秤駆動機構２５は、上軸２１にネジ２２（固定部材）で固定される偏心カム２３と、この偏心カム２３と揺動天秤１８とを連結する連結部材２４とから構成されている。偏心カム２３は、中央部に上軸２１が挿通される貫通孔２３ａと、この貫通孔２３ａに対して偏らせて、その外周部が形成された偏心部２３ｂと、ネジ２２が装着されるネジ孔２３ｃを有している。
【００２１】
また、偏心カム２３と揺動天秤１８とを連結する連結部材２４は、連結ロッド３、駆動軸４、揺動天秤軸５、揺動天秤腕６とから構成されている。そして、連結ロッド３は、上下方向に連結部３ａ、３ｂを有している。この上側連結部３ａは、上軸偏心部２３ｂに回動可能に連結されている。下側連結部３ｂには、駆動腕４の球形部４ａが回動可能に連結されている。また、駆動腕４の他端側の筒状本体部４ｂは、その内径部に揺動天秤軸５が通された後、ネジ８により固定される。揺動天秤軸５は、上軸２に交差するように配置され、機枠に固定されたメタル軸受けにより回動可能に支持されている。揺動天秤軸５の一端側には、揺動天秤腕６が固定されている。この揺動天秤腕６に形成された装着溝６ａには、揺動天秤１８が摺動自在に支持される。揺動天秤１８は所定位置でネジに９より揺動天秤腕６固定される。揺動天秤１８の先端側折曲部には、糸が通される糸孔１８ａ形成されている。この糸孔１８ａには、糸巻きから針に至る針糸が通されている。
【００２２】
第１実施形態の動作について説明する。
上軸２１が回転すると偏心カム２３も共に回転する。この偏心カム２３の回転により連結ロッド３が上下動する。連結ロッド３の上下動に伴い、駆動腕４を介して揺動天秤軸５が回動する。そして、揺動天秤腕６と揺動天秤１８が揺動する。揺動天秤１８の揺動により、糸の供給量や糸の引き上げ量を意味する、針糸１４の糸取り量が制御される。
【００２３】
そして、実際形成された縫目が希望する縫目と異なる場合、ネジ２２を緩め偏心カム２３と上軸２１との固定状態を解除する。次に、上軸２１又は偏心カム２３の一方を回動させて、上軸２１と偏心カム２３の固定位置を変更する。この変更により、上軸２１に対する偏心カム２３の位相を変更することができる。この結果、揺動天秤１８の揺動運動の位相も同様に変化する。
【００２４】
この調整操作では、図３に示す上軸回転角に対する天秤変位軌跡を示す天秤曲線から明らかなように、基準の天秤曲線に対して偏心カム２３を回動した変更位置±θでは、位相のみがずれている。このため、位相のみを変更して、例えば、糸の引き上げを早くして締まりの良い縫目を形成することも容易にできる。また、針降下時に糸の供給量を増加させて、目飛びを防止することも容易にできる。
【００２５】
なお、糸経路長を変更して、糸取り量を調整する場合は、糸案内１７の上下位置を変更する調整操作により行う。この糸案内１７の位置調整は、揺動天秤１８のストローク調整に相当する。
このように、天秤の位相調整と、ストローク調整とでは、別部材を操作するので、調整操作が容易となる。
【００２６】
次に、この発明の第２実施形態を図４に基づいて説明する。
第２実施形態の揺動天秤駆動機構３０は、第１実施形態と上軸２１と偏心カム３１の固定方法が異なる。尚、第２実施形態の偏心カム３１と揺動天秤１８とを連結する連結部材２４は、第１実施形態と同一構成なのでその記載を省略する。
【００２７】
揺動天秤駆動機構３０は、偏心カム３１を上軸２１に固定するための固定部材３２と、固定部材３２に係合し上軸２１と偏心カム３１の固定状態を解除する操作部材３３を備えている。
固定部材３２は、ラチェットギア３４、バネ材３５、ギア３６、ネジ３７とから構成される。
【００２８】
偏心カム３１は、上軸２１が挿通される貫通孔３１ａと、この貫通孔３１ａ中心に対して偏った位置にその外周部が形成された偏心部３１ｂと、偏心部３１ｂより外周が大きい支持部３１ｆと、水平方向Ｘに沿って、支持部３１ｆの正面側に形成された支持溝３１ｃと、支持溝（溝部）３１ｃの一端側に設けられた切欠け部３１ｄと、取り付け孔３１ｅを備えている。尚、図示省略したが、上軸２１には、軸心方向への偏心カム３１の移動を規制するスラストカラーが、偏心部３１ｂ右端側に固定されている。このため、偏心カム３１は、ギア３６とスラストカラーに挟まれた状態にある。
【００２９】
ラチェットギア（第２ギア）３４は、板状で、中央部に貫通孔３４ａが形成され、上下方向に平行な支持片３４ｄ、３４ｄが形成されている。ラチェットギア３４の左側面側には中心に向けて歯部３４ｂが形成され、右端側には切欠け部３４ｃが形成されている。ラチェットギア３４は、偏心カムの支持溝３１ｃに装着され、摺動自在に支持される。
【００３０】
バネ材（弾性部材）３５は、所定形状に折り曲げられており、一端側３５ａが偏心カムの取り付け孔３１ｅに挿入され、他端側３５ｂがラチェットギア３４の左側面側に係合し、ラチェットギア３４をＸ方向に付勢する。
【００３１】
ギア（第１ギア）３６は円筒状である。その外周にラチェットギアの歯部３４ｂに噛み合うギアの歯部３６ａが形成され、また、中心部に上軸２１が挿通される貫通孔３６ｂが形成されている。ギア３６は、上軸２１に挿通された後、所定位置でネジ３７により固定される。そして、偏心カム３１の支持溝３１ｃに装着されたラチェットギア３４が、バネ材３５によりＸ方向に付勢されても、ラチェットギア歯部３４ｂがギア３６の歯部３６ａに噛み合い、ラチェットギア３４は所定位置で係止される。バネ材３５の付勢力により、ギア３６とラチェットギア３４の歯部が噛み合う連結状態は維持され、偏心カム３１は上軸２１に固定された状態となる。
【００３２】
操作部材３３は、押圧ボタン３８と、支持ピン３９と、バネ４０と、ワッシャ４１から構成されている。押圧ボタン３８は、先端に向かって小径の当接部３８ａと、本体部３８ｂと、頭部３８ｃから形成されている。そして、本体部３８ｂには、Ｘ方向に沿って摺動溝３８ｄが形成されている。
【００３３】
図示省略したが、ミシンアーム部１２には、上軸２１に向けて装着孔が形成されている。
この装着孔に、ワッシャ４１、バネ４０、押圧ボタン３８の順に装備される。そして、押圧ボタン３８の摺動溝３８ｄには、Ｙ方向からミシンアームに固定された支持ピン３９が係合し、押圧ボタン３８をＸ方向に沿って摺動可能に支持する。
【００３４】
第２実施形態の動作について説明する。
ミシン停止後、位相を変更する操作は、最初に作業者が押圧ボタン３８を上軸２１に向けて押圧する。押圧ボタン３８はバネ４０の付勢力に抗して前進する。押圧ボタン３８が前進すると、その先端の当接部３８ａは、ラチェットギア３４の切欠け部３４ｃに当接した後、バネ材３５の付勢力に抗して、ラチェットギア３４を支持溝３１ｃに沿って反Ｘ方向に移動させる。
【００３５】
このラチェットギア３４の移動により、ラチェットギア３４とギア３６の噛み合いは解除され、偏心カム３１と上軸２１はフリーな状態、非連結状態となる。この非連結状態を維持しながら、上軸２１を所定量回動させた後、押圧ボタン３８の押圧を解除する。押圧ボタン３８の押圧を解除すると、ギア３６とラチェットギア３４の歯部が噛み合い、ギア３６を介して偏心カム３１は上軸２１に固定される。この結果、上軸回転角に対する、揺動天秤１８の天秤曲線の位相のみがずれる。
【００３６】
第２実施形態では、操作部材３３の押圧ボタン３８の前進時、ラチェットギア３６に係合し、ギア３６とラチェットギア３４の噛み合いを解放する非連結状態にする。この非連結状態を維持しながら、上軸２１を回転させて、揺動天秤１８の天秤曲線の位相を変更することができる。このため、操作性が向上し、調整作業が容易となる。
【００３７】
また、第２実施形態では、操作部材３３の操作により、ギア３６とラチェットギア３４の噛み合いを解除したが、操作部材３３が無くても、ミシンアームの上部蓋を取り外して、ドライバー等の工具を利用して、ギア３６とラチェットギア３４の噛み合いを解除することも容易にできる。
【００３８】
次に、この発明の第３実施形態を図５に基づいて説明する。
第３実施形態は、第２実施形態の変形例であり、偏心カムにギア部が一体的に結合されたものである。尚、第３実施形態のギア付き偏心カム５２の偏心カム部５２ｃと揺動天秤１８とを連結する連結部材２４は、第１実施形態と同一構成なのでその記載を省略する。
【００３９】
第３実施形態の揺動天秤機構の偏心カム部５２ｃを上軸２１に固定する固定部材５０は、支持部材５１、ラチェットギア３４、バネ材３５、ギア付き偏心カム５２、スラストカラー５３とから構成される。
【００４０】
支持部材５１は、上軸に挿通される貫通孔５１ａと、正面側の水平一方向に沿って形成された支持溝５１ｂ（溝部）とを有している。
【００４１】
ラチェットギア３４（第１ギア）は、板状で、中央部に貫通孔３４ａが形成され、上下方向に平行な支持片３４ｄ、３４ｄが形成されている。ラチェットギア３４の左側面側には、中心に向けて歯部３４ｂが形成され、右端側には切欠け部３４ｃが形成されている。ラチェットギア３４は、支持部材５１の支持溝５１ｂに装着され、摺動自在に支持される。
【００４２】
バネ材（弾性部材）３５は、所定形状に折り曲げられており、一端側３５ａが偏心カムの取り付け孔３１ｅに挿入され、他端側３５ｂがラチェットギア３４の左側面側に係合し、ラチェットギア３４をＸ方向に付勢する。
【００４３】
ギア付き偏心カム５２（第２ギア）は、中心部に上軸２１が挿通される貫通孔５２ａが形成されている。また、その外周部には、ラチェットギア３４の歯部と噛み合うギア部５２ｂと、偏心カム部５２ｃが形成されている。偏心カム部５２ｃは、貫通孔５２ａに対して偏った位置に形成されており、この偏心カム部５２ｃには、図示省略の連結部材２４を介して揺動天秤１８が連結される。
【００４４】
そして、上軸２１に挿通された支持部材５１は、上軸の所定位置で図示省略のネジにより固定される。次に、ラチェットギア３４、バネ材３５、ギア付き偏心カム５２が装着される。次に、スラストカラー５３が上軸に装着され、スラストカラー５３は、図示省略のネジにより固定される。
【００４５】
ラチェットギア３４とギア付き偏心カム５２のギア同士は、バネ３５の付勢力により噛み合っているので、上軸２１が回転すると、ギア付き偏心カム５２も回転する。そして、ギア付き偏心カム５２の回転により、図示省略の連結部材２４を介して、揺動天秤１８が揺動する。
【００４６】
第３実施形態の揺動天秤１８の位相を変更する操作は、ミシン停止後、ミシンアーム上部の蓋を取り外す。その後、ドライバー等を用いて、ラチェットギア３４の切欠け部３４ｃを図示Ｚ方向に押圧して、ギア付き偏心カム５２とラチェットギア３４の歯部の噛み合いを解除する。この非連結状態を維持しつつ、上軸２１を所定位置に回転した後、押圧を解除すると、ギア５２とラチェットギア３４の歯部が噛み合い、ギア付き偏心カム５２は、ラチェットギア３４、支持部材５１を介して上軸２１に固定される。この結果、上軸回転角に対する、揺動天秤１８の天秤曲線の位相のみがずれる。
【００４７】
次に、この発明の第４実施形態を図６に基づいて説明する。
第４実施形態は、第２実施形態の変形例であり、上軸の軸心方向に相互に噛み合うギアをそなえたものである。尚、第４実施形態の偏心カム６２と揺動天秤１８とを連結する連結部材２４は、第１実施形態と同一構成なのでその記載を省略する。
第４実施形態の揺動天秤駆動機構は、偏心カム６２を上軸２１に固定する固定部材６８を備えている。この固定部材６８は、第１ギア６４、第２ギア６３、バネ部材６５から構成されている。
【００４８】
上軸２１には、スラストカラー６０、６１が所定量離間して、固定されている。スラストカラー６０、６１間には、図示右側から偏心カム６２、第２ギア６３、第１ギア６４が装備されている。偏心カム６２側面と第２ギア６３側面は固定され、上軸２１に一体的に回動可能に支持されている。
【００４９】
第２ギア６３左端には、左側に向けて歯部６３ａが形成されている。この第２ギア歯部６３ａと対向するように、第１ギア６４の右端には、歯部６４ａが形成されている。また、第１ギア６４は、図示省略のネジにより上軸２１に固定されている。
【００５０】
バネ部材（弾性部材）６５は、一端が第２ギア６３に他端が第１ギア６４に装着されている。バネ材６５は、第２ギア６３と第１ギア６４を引き寄せて、その歯部同士が噛み合う連結状態を維持する。このため、偏心カム６２が第２ギア６３、第１ギア６４を介して、上軸２１に固定される。そして、上軸２１が回転すると、偏心カム６２が回転する。偏心カム６２の回転により、図示省略の連結部材２４を介して、揺動天秤１８が揺動する。
また、第２ギア６３には、水平方向に矢印６６が付されており、この矢印６６に対応するように、第１ギア６４には、目盛り６７が付されている。
【００５１】
第４実施形態の揺動天秤１８の位相を変更する操作は、ミシン停止後、ミシンアーム上部の蓋を取り外す。その後、ドライバー等を用いて、バネ部材６５の付勢力に抗するように、第２ギア６３と偏心カム６２を図示Ｗ方向に押圧して、第２ギア６３と第１ギア６４の歯部の噛み合いを解放し、非連結状態とする。この非連結状態により、偏心カム６２は上軸２１に対してフリーな状態となる。この非連結状態を維持しつつ、上軸２１を所定位置に回転した後、押圧を解除すると、第２ギア６３と第１ギア６４の歯部が噛み合う。そして、偏心カム６２は、第２ギア６３、第１ギア６４を介して上軸２１に固定される。この結果、上軸回転角に対する、揺動天秤１８の天秤曲線の位相のみがずれる。
【００５２】
第４実施形態では、上記実施形態の効果に加えて、第２ギア６３に矢印を、第１ギア６４に目盛りを設けたので、位相変更の度合がわかるので、調整操作が容易となる。
【００５３】
この発明は上記実施形態に限定されることなく、種々変更可能である。
例えば、第２実施形態で用いた操作部材３３を第３実施形態や第４実施形態に用いることも容易に考えられる。
【００５４】
また、第４実施形態で用いた矢印と目盛りとからなる調節目盛りを、第１実施形態の上軸２１と偏心カム２３に用いたり、第２実施形態の上軸２１と偏心カム２１に用いることも容易に考えられる。
【００５５】
さらに、第２実施形態では操作部材３３を用いたが、これに代えて、ミシンアーム１２に切欠け部としての操作用窓部を設け、この操作用窓部からドライバーを用いてラチェットギアを移動させて、位相を変更することも容易に考えられる。尚、この操作用窓部は、ゴム栓で通常密閉されている。
【００５６】
【発明の効果】
請求項１、２記載の発明は、上軸に対する偏心カムの固定位置を変更することにより、天秤曲線の位相がずれるだけで、ストロークが変化することがない。このため、調整作業が容易になり、縫い品質が向上する。
【００５７】
請求項３記載の発明によれば、調節目盛りを見ながら調整作業を行うので、調整作業がより容易になる。
【００５８】
請求項４記載の発明によれば、溝部に摺動自在に支持されたラチェットギアを付勢力に抗して移動させ、ギア同士の噛み合いを解除する非連結状態に容易にすることができ、作業性が向上する。
【００５９】
請求項５記載の発明によれば、操作部材の操作により調整作業を行うことができるので、より作業性が向上する。
【図面の簡単な説明】
【図１】本発明を適用した飾り縫いミシンの斜視図である。
【図２】第１実施形態の揺動天秤機構の分解斜視図である。
【図３】第１実施形態を適用した場合の上軸回転角に対する天秤変位量曲線である。
【図４】第２実施形態の揺動天秤機構の分解斜視図である。
【図５】第３実施形態の揺動天秤機構の分解斜視図である。
【図６】第４実施形態の揺動天秤機構の分解斜視図である。
【図７】従来の揺動天秤機構の分解斜視図である。
【図８】従来の揺動天秤機構を適用した場合の上軸回転角に対する天秤変位量曲線である。
【符号の説明】
２０・・・・・・・・・・・・針
１８・・・・・・・・・・・・揺動天秤
２３、３１ｂ、５２ｂ、６２・偏心カム
２２、３２、５０、６８・・・固定部材
２４・・・・・・・・・・・・連結部材
３６、３４、６７・・・・・・第１ギア
３４、５２ｂ、６３・・・・・第２ギア
３５、６５・・・・・・・・・弾性部材
６７・・・・・・・・・・・・調整目盛り
３４・・・・・・・・・・・・ラチェットギア
３１ｃ、５１ｂ・・・・・・・溝部（支持溝）
３３・・・・・・・・・・・・操作部材
【図１】
2004141440.tif 000003
【図２】
2004141440.tif 000004
【図３】
2004141440.tif 000005
【図４】
2004141440.tif 000006
【図５】
2004141440.tif 000007
【図６】
2004141440.tif 000008
【図７】
2004141440.tif 000009
【図８】
2004141440.tif 000010